(57)【要約】【課題】  シート状物の長手方向の厚み変動の測定や制御が、シート状物の幅方向の厚み変動の測定や制御に影響を与えることを防いで、シート状物の幅方向のみならず、長手方向にも厚み精度の優れた、高品質のシート状物を製造し得る、シート状物の製造方法を提供することにある。【解決手段】  本発明のシート状物の製造方法においては、厚み計で収集された厚み変動データを、シート状物の幅方向の厚み変動データと、走行方向の厚み変動データとに弁別して蓄積するため、厚み計の走査を停止させる必要がなく、シート状物の幅方向の厚み制御を行いながら、同時に走行方向の厚み異常等の解析や異常原因の特定ができる。【選択図】    なし【特許請求の範囲】
【請求項１】
樹脂を押出手段に供給する供給工程と、
前記押出手段で押し出された前記樹脂をダイからシート状物として吐出する工程と、
吐出された前記シート状物をロールで引き取る引取り工程と、
走行する前記シート状物の幅方向に厚み計を走査して、前記シート状物の厚みを測定し、厚み変動データを蓄積する工程と、
前記厚み変動データと、前記供給工程から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給工程から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する工程と、
前記特定された要因を改善し得る調整手段を調節して前記厚み変動を制御し、前記シート状物の厚み分布を、目標とする厚み分布に近づける工程と
を含んで構成されるシート状物の製造方法。
【請求項２】
樹脂を押出手段に供給する供給工程と、
前記押出手段で押し出された前記樹脂をダイからシート状物として吐出する工程と、
吐出された前記シート状物をロールで引き取る引取り工程と、
走行する前記シート状物の幅方向に厚み計を走査して、前記シート状物の厚みを測定し、厚み変動データを蓄積する工程と、
前記厚み変動データから、無次元徴候パラメータの演算、確率密度分布の算出、確率頻度分布の算出のうち、少なくとも１以上の操作を行い、前記シート状物の厚み変動の特徴を抽出する工程と、
前記抽出された特徴と、過去に蓄積した、シート状物の厚み変動と該変動の要因との相関データとを照合して、前記厚み変動の要因を特定する工程と、
前記特定された要因を改善し得る調整手段を調節して前記厚み変動を制御し、前記シート状物の厚み分布を、目標とする厚み分布に近づける工程と
を含んで構成されるシート状物の製造方法。
【請求項３】
前記厚み変動データと、前記供給工程から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給工程から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する工程を含んで構成される請求項２に記載のシート状物の製造方法。
【請求項４】
前記厚み変動データを蓄積する工程が、前記厚み変動データを、前記シート状物の幅方向の厚み変動データと、前記シート状物の長手方向の厚み変動データとに弁別してなされる請求項１乃至３のいずれかに記載のシート状物の製造方法。
【請求項５】
前記シート状物の長手方向の厚み変動に周期的変動があり、かつ、前記シート状物の幅方向の複数の定位置から測定される、前記シート状物の長手方向の厚み変動同士が同期している場合には、前記厚み変動データと、前記温度データ、前記圧力データ、前記押出量データ、前記吐出量データ、前記駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する請求項４に記載のシート状物の製造方法。
【請求項６】
前記厚み変動の制御後における前記シート状物の厚み分布を、評価手段で評価する工程を含んで構成される請求項１乃至５のいずれかに記載のシート状物の製造方法。
【請求項７】
樹脂を押出手段に供給するための供給手段と、
前記押出手段から押し出された前記樹脂をシート状物として吐出するダイと、
前記シート状物を引き取るロールと、
走行する前記シート状物の幅方向に走査して、前記シート状物の厚みを測定する厚み計と、
前記厚み計によって測定された厚みを、厚み変動データとして蓄積する蓄積手段と、
前記厚み変動データと、前記供給手段から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給手段から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段と、
前記特定された要因を改善し得る調整手段と
を含んで構成され、前記調整手段を調節して前記厚み変動を制御し、前記シート状物の厚み分布を、目標とする厚み分布に近づけるシート状物の製造装置。
【請求項８】
樹脂を押出手段に供給するための供給手段と、
前記押出手段から押し出された前記樹脂をシート状物として吐出するダイと、
前記シート状物を引き取るロールと、
走行する前記シート状物の幅方向に走査して、前記シート状物の厚みを測定する厚み計と、
前記厚み計によって測定された厚みを、厚み変動データとして蓄積する蓄積手段と、
前記厚み変動データから、無次元徴候パラメータの演算、確率密度分布の算出、確率頻度分布の算出のうち、少なくとも１以上の操作を行い、前記シート状物の厚み変動の特徴を抽出する厚み変動データ変換手段と、
前記抽出された特徴と、過去に蓄積した、シート状物の厚み変動と該変動の要因との相関データとを照合して、前記厚み変動の要因を特定する要因照合手段と、
前記特定された要因を改善し得る調整手段と
を含んで構成され、前記調整手段を調節して前記厚み変動を制御し、前記シート状物の厚み分布を、目標とする厚み分布に近づけるシート状物の製造装置。
【請求項９】
前記厚み変動データと、前記供給手段から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給手段から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段を備える請求項８に記載のシート状物の製造装置。
【請求項１０】
前記蓄積手段が、蓄積された前記厚み変動データを、前記シート状物の幅方向の厚み変動データと、前記シート状物の長手方向の厚み変動データとに弁別して蓄積する弁別手段を備える請求項７乃至９のいずれかに記載のシート状物の製造装置。
【請求項１１】
前記シート状物の長手方向の厚み変動に周期的変動があり、かつ、前記シート状物の幅方向の複数の定位置から測定される、前記シート状物の長手方向の厚み変動同士が同期している場合には、前記厚み変動データと、前記温度データ、前記圧力データ、前記押出量データ、前記吐出量データ、前記駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段を備える請求項１０に記載のシート状物の製造装置。
【請求項１２】
前記厚み変動の制御後における前記シート状物の厚み分布を評価する評価手段を備える請求項７乃至１１のいずれかに記載のシート状物の製造装置。
【発明の詳細な説明】
【技術分野】
【０００１】
本発明は、シート状物の製造方法において、モニタリングした厚み変動データの特徴から変動要因を特定し、この変動要因をプロセス制御等によって改善して、厚み精度が良好なシート状物を製造するシート状物の製造方法、及びこの製造方法に好適に用いられる製造装置に関する。
【背景技術】
【０００２】
ダイから原料を吐出してシート状物を製造する工程において、その厚みの制御、及び管理は、製造工程内に設置した厚み計によってシート状物の厚み変動を連続的にモニタリングし、目標とする厚み分布（以下、「厚みプロファイル」と言う。）に基づいて、厚み調整手段を介してこの厚み変動を調節して行うことが多い。厚み計は、通常、走行するシート状物の幅方向を繰り返し往復させることによって、シート状物上で走査させて用いられる。また、シート状物の厚み制御は、一般に、ダイに備えられた熱収縮ボルトを用いたギャップ調整機構によって、ダイのリップ部のスリット幅を調整して、ダイ内の樹脂の流れをコントロールして行われる。
【０００３】
ここで、シート状物の厚みに関する品質は、シート状物の長手方向に対する幅方向の厚み精度のみならず、長手方向の厚み精度にも左右されるが、これまで、上記シート状物の厚み制御は、シート状物の幅方向の厚み変動と、シート状物の幅方向に関する厚みプロファイルとの偏差に基づいて、厚み調整手段を介して厚み変動を調整して行われてきた。
【０００４】
しかしながら、シート状物の製造工程において、例えば、原料をダイに導入する前にあっては、原料の温度変動や、原料をダイに導入するための押出機による押出圧力変動等に起因して、シート状物の長手方向に比較的長周期の厚み変動が生じることがあった。また、原料をダイから吐出した後にあっては、シート状物自体の振動や、シート状物を引き取ったり延伸したりする際の張力変動に起因して、シート状物の長手方向に比較的短周期の厚み変動が生じることがあった。
【０００５】
その一方で、シート状物のかかる長手方向の厚み変動は、幅方向の厚み変動データに重畳する場合もあれば、変動データをサンプリングするタイミング等によっては相殺されて、幅方向の厚み変動データに重畳しない場合もあった。このため、シート状物の幅方向における厚み変動データのみに基づく厚み制御では、シート状物の製造工程における諸々の誤差要因の影響でシート状物の厚みに乱れが生じると、シート状物の厚み変動を収束させることが困難であった。
【０００６】
これまでに、シート状物の厚み精度を上げる方法としては、シート状物の幅方向に厚み計を走査させて、幅方向の厚み変動を測定し、調整手段を介してこれを制御するとともに、シート状物の幅方向への厚み計の走査を停止させて、走行するシート状物の長手方向の厚み変動を測定し、高速フーリエ変換（以下、「ＦＦＴ」と言う。）解析することによってその変動周期を求め、かかる変動周期からシート状物の厚みの変動源を特定し、これを修正してシート状物の長手方向の厚み変動を制御する態様が開示されている。また、シート状物の長手方向の厚み変動周期をスペクトル解析によって求め、長手方向の厚み変動の影響が少ない厚み計の走査速度を選択し、これによって幅方向の厚み変動をモニタリングし、厚みプロファイルに基づいて厚み調整手段を介してその厚み変動を調整する態様が開示されている（例えば、特許文献１及び２参照）。
【特許文献１】特開２０００−６２００６号公報
【特許文献２】特開２００３−２９１２０４号公報
【０００７】
しかしながら、シート状物の長手方向の厚み変動の周期を、ＦＦＴ解析やスペクトル解析によって求める際には、該当する変動周期に対して、観測区間（時間）を少なくとも数倍以上とする必要があった。したがって、例えば、シート状物の長手方向の厚み変動の周期が１時間を超える場合には、観測区間を数時間以上に設定することを必要とした。また、厚み計を停止させて、走行するシート状物の長手方向の厚み変動を測定する場合には、その間に行われるシート状物の幅方向の厚み制御に対する外乱に対応できないという問題があった。さらに、同条件で生産したシート状物のサンプルの厚みをオフラインで測定することによって、予めシート状物の長手方向の厚み変動の周期を求めるには、数時間以上に相当する長さのシート状物のサンプルを調整することを要することから多大な工数がかかり、現実的ではないと言う問題があった。またさらに、シート状物の幅方向の位置に応じて、シート状物の長手方向の厚み変動周期や振幅が異なるという問題もあった。
【発明の開示】
【発明が解決しようとする課題】
【０００８】
本発明の目的は、走行するシート状物の幅方向に厚み計を走査して蓄積される厚み変動データから無次元徴候パラメータ等を求めたり、シート状物の製造工程に関するプロセスデータとシート状物の厚み変動とをクロスコレログラムによって相関解析して、厚み変動の特徴を抽出し、その変動要因を改善することによって、シート状物の幅方向のみならず、長手方向においても厚み精度が良好なシート状物を製造する製造方法、及びかかる製造方法に好適な製造装置を提供することにある。
【課題を解決するための手段】
【０００９】
本発明のシート状物の製造方法の要旨とするところは、樹脂を押出手段に供給する供給工程と、前記押出手段で押し出された前記樹脂をダイからシート状物として吐出する工程と、吐出された前記シート状物をロールで引き取る引取り工程と、走行する前記シート状物の幅方向に厚み計を走査して、前記シート状物の厚みを測定し、厚み変動データを蓄積する工程と、前記厚み変動データと、前記供給工程から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給工程から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する工程と、前記特定された要因を改善し得る調整手段を調節して前記厚み変動を制御し、前記シート状物の厚み分布を、目標とする厚み分布に近づける工程とを含んで構成されることにある。
【００１０】
ここで、押出手段とは、供給工程において供給された樹脂をダイに供給するための手段を言う。また、供給工程からダイまでの流路とは、樹脂が供給工程に投入されてから、押出手段及びダイを経由してシート状物として吐出されるまでに樹脂が通過する路を言う。また、押出手段から前記ダイまでの流路とは、樹脂が押出手段に供給されてから、押出手段及びダイを経由してシート状物として吐出されるまでに樹脂が通過する路を言う。
【００１１】
また、本発明のシート状物の製造方法の要旨とするところは、樹脂を押出手段に供給する供給工程と、前記押出手段で押し出された前記樹脂をダイからシート状物として吐出する工程と、吐出された前記シート状物をロールで引き取る引取り工程と、走行する前記シート状物の幅方向に厚み計を走査して、前記シート状物の厚みを測定し、厚み変動データを蓄積する工程と、前記厚み変動データから、無次元徴候パラメータの演算、確率密度分布の算出、確率頻度分布の算出のうち、少なくとも１以上の操作を行い、前記シート状物の厚み変動の特徴を抽出する工程と、前記抽出された特徴と、過去に蓄積した、シート状物の厚み変動と該変動の要因との相関データとを照合して、前記厚み変動の要因を特定する工程と、前記特定された要因を改善し得る調整手段を調節して前記厚み変動を制御し、前記シート状物の厚み分布を、目標とする厚み分布に近づける工程とを含んで構成されることにある。
【００１２】
また、本発明のシート状物の製造方法の要旨とするところは、前記厚み変動データと、前記供給工程から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給工程から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する工程を含んで構成されることにある。
【００１３】
かかる構成により、シート状物の厚み変動の要因を特定するために要する厚み変動データ量が、より少なくて済むこととなる。
【００１４】
また、本発明のシート状物の製造方法の要旨とするところは、前記厚み変動データを蓄積する工程が、前記厚み変動データを、前記シート状物の幅方向の厚み変動データと、前記シート状物の長手方向の厚み変動データとに弁別してなされることにある。
【００１５】
かかる構成により、シート状物の長手方向と幅方向の厚み変動を同時に測定することが可能となるため、シート状物の長手方向における厚み変動を調べるために、厚み計の走査を停止する必要がない。
【００１６】
また、本発明のシート状物の製造方法の要旨とするところは、前記シート状物の長手方向の厚み変動に周期的変動があり、かつ、前記シート状物の幅方向の複数の定位置から測定される、前記シート状物の長手方向の厚み変動同士が同期している場合には、前記厚み変動データと、前記温度データ、前記圧力データ、前記押出量データ、前記吐出量データ、前記駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定することにある。
【００１７】
また、本発明のシート状物の製造方法の要旨とするところは、前記厚み変動の制御後における前記シート状物の厚み分布を、評価手段で評価する工程を含んで構成されることにある。
【００１８】
本発明のシート状物の製造装置の要旨とするところは、樹脂を押出手段に供給するための供給手段と、前記押出手段から押し出された前記樹脂をシート状物として吐出するダイと、前記シート状物を引き取るロールと、走行する前記シート状物の幅方向に走査して、前記シート状物の厚みを測定する厚み計と、前記厚み計によって測定された厚みを、厚み変動データとして蓄積する蓄積手段と、前記厚み変動データと、前記供給手段から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給手段から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段と、前記特定された要因を改善し得る調整手段とを含んで構成され、前記調整手段を調節して前記厚み変動を制御し、前記シート状物の厚み分布を、目標とする厚み分布に近づけることにある。
【００１９】
本発明のシート状物の製造装置の要旨とするところは、樹脂を押出手段に供給するための供給手段と、前記押出手段から押し出された前記樹脂をシート状物として吐出するダイと、前記シート状物を引き取るロールと、走行する前記シート状物の幅方向に走査して、前記シート状物の厚みを測定する厚み計と、前記厚み計によって測定された厚みを、厚み変動データとして蓄積する蓄積手段と、前記厚み変動データから、無次元徴候パラメータの演算、確率密度分布の算出、確率頻度分布の算出のうち、少なくとも１以上の操作を行い、前記シート状物の厚み変動の特徴を抽出する厚み変動データ変換手段と、前記抽出された特徴と、過去に蓄積した、シート状物の厚み変動と該変動の要因との相関データとを照合して、前記厚み変動の要因を特定する要因照合手段と、前記特定された要因を改善し得る調整手段とを含んで構成され、前記調整手段を調節して前記厚み変動を制御し、前記シート状物の厚み分布を、目標とする厚み分布に近づけることにある。
【００２０】
本発明のシート状物の製造装置の要旨とするところは、前記厚み変動データと、前記供給手段から前記ダイまでの流路内の１又は複数の定位置における前記樹脂の温度データ、前記押出手段から前記ダイまでの流路内の１又は複数の定位置における前記樹脂の圧力データ、前記押出手段から前記ダイに押し出される前記樹脂の押出量データ、前記ダイからの前記樹脂の吐出量データ、前記供給手段から前記ダイまでの流路内の１又は複数の定位置に設けられた前記樹脂の温度調整手段からの出力信号、前記押出手段の運転状態量や負荷変動データ、前記ロールの駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段を備えることにある。
【００２１】
本発明のシート状物の製造装置の要旨とするところは、前記蓄積手段が、蓄積された前記厚み変動データを、前記シート状物の幅方向の厚み変動データと、前記シート状物の長手方向の厚み変動データとに弁別して蓄積する弁別手段を備えることにある。
【００２２】
本発明のシート状物の製造装置の要旨とするところは、前記シート状物の長手方向の厚み変動に周期的変動があり、かつ、前記シート状物の幅方向の複数の定位置から測定される、前記シート状物の長手方向の厚み変動同士が同期している場合には、前記厚み変動データと、前記温度データ、前記圧力データ、前記押出量データ、前記吐出量データ、前記駆動系データから選択されるデータのそれぞれとを、クロスコレログラムによって相関解析して時間的位相差を求め、前記時間的位相差と、前記データに関連する厚み変動のプロセス時定数との差を照合し、前記厚み変動の要因を特定する厚み変動データ解析手段を備えることにある。
【００２３】
本発明のシート状物の製造装置の要旨とするところは、前記厚み変動の制御後における前記シート状物の厚み分布を評価する評価手段を備えることにある。
【発明の効果】
【００２４】
本発明のシート状物の製造方法は、シート状物の厚み変動の要因を特定するために要する厚み変動データ量が、より少なくて済むこととなるため、シート状物の厚み変動が長周期である場合に好適に用いることができる。また、シート状物のかかる長周期の変動に対して、迅速に対応することができる。
【００２５】
また、本発明のシート状物の製造方法は、シート状物の長手方向の厚み変動を測定するために、厚み計の走査を停止することを要しないため、シート状物の幅方向の厚み変動の測定や制御を中断する必要がない。したがって、本発明のシート状物の製造方法は、シート状物の長手方向の厚み変動の測定や制御が、シート状物の幅方向の厚み変動の測定や制御に影響を与えることを防ぐことができ、シート状物の幅方向のみならず、長手方向にも厚み精度の優れた、高品質のシート状物を製造することができる。
【発明を実施するための最良の形態】
【００２６】
図１に、本発明のシート状物の製造方法を好適に実施し得る製造装置の第１実施態様を示す。また、図２に、本発明のシート状物の製造方法を好適に実施し得る製造装置の第２実施態様を示す。また、図３に、本発明のシート状物の製造方法を好適に実施し得る製造装置の第３実施態様を示す。
【００２７】
図１に従えば、本発明のシート状物の製造方法は、ホッパー１３から押出機１２に樹脂を供給する工程と、樹脂を押出機１２で押し出してダイ１４に供給する工程と、樹脂をダイ１４からシート状物１８として吐出する工程と、吐出されたシート状物１８をロール１６で引き取る引取り工程と、走行するシート状物１８の幅方向に厚み計２０を往復させてシート状物１８上を走査して、シート状物１８の厚みを測定する工程と、厚み計２０によって収集されたシート状物１８の厚み変動データを、コンピュータ２２が備えるデータ蓄積装置に蓄積する工程と、厚み変動データと、樹脂がホッパー１３に投入されてから、押出機１２及びダイ１４を経由してシート状物１８として吐出されるまでに樹脂が通過する流路における樹脂の温度データ（例えば、ホッパー１３内の樹脂の温度データ、押出機１２が備えるシリンダー内の樹脂の温度データ、押出機１２が備えるシリンダーヘッド内の樹脂の温度データ、ダイ１４が備えるランド内の温度データ等）や圧力データ（例えば、押出機１２が備えるシリンダー内の樹脂の圧力データ、押出機１２が備えるシリンダーヘッド内の樹脂の圧力データ、ダイ１４が備えるランド内の圧力データ等）、ダイ１４自体の温度データ、樹脂がホッパー１３に投入されてから、押出機１２及びダイ１４を経由してシート状物１８として吐出されるまでに樹脂が通過する流路において設けられた温度調整手段からの出力信号（例えば、ホッパー１３が備えるヒーターからの出力信号、押出機１２のシリンダーが備えるヒーターからの出力信号、ダイ１４が備えるヒーター２４からの出力信号等）、押出機１２から押し出される樹脂の押出量データ、ダイ１４から吐出される樹脂の吐出量データ、押出機１２の運動状態量（例えば、押出機１２が備えるスクリューやギヤポンプの回転数等）や負荷変動データ（例えば、駆動トルク等）、ロール１６の駆動系データ（例えば、ロール１６によるシート状物１８の引き取り張力や引き取り速度等）から選択されるデータのそれぞれとを、クロスコレログラムによって相関解析して時間的位相差を求め、この時間的位相差と、前記データに関連する厚み変動のプロセス時定数との差を照合し、厚み変動の要因を、コンピュータ２２が備える厚み変動データ解析装置によって特定する工程と、ホッパー１３や押出機１２やダイ１４やヒーター２４やロール１６等の、本発明の製造装置１０を構成する構成手段に設けられた、樹脂温度や樹脂の吐出量や引き取り速度等を調整するための調整手段を調節して、特定された要因を改善して厚み変動を制御し、シート状物１８の厚み分布を、目標とする厚み分布に近づける工程とを含んで構成される。
【００２８】
なお、ダイ１４が備えるランド内の温度データを測定する方法については、いずれの方法によってもよいが、吐出されるシート状物１８の表面にキズが付かない方法で行うのが好ましく、例えば、ダイ１４の外側からランド近傍に盲貫孔を設け、その位置に熱電対温度計の先端感温部を挿入することにより測定する方法が挙げられる。また、ダイ１４が備えるランド内の圧力データを測定する方法については、いずれの方法によってもよいが、吐出されるシート状物１８の表面にキズが付かない方法で行うのが好ましく、例えば、樹脂がダイ１４に供給される直前の樹脂の圧力を測定し、かかる測定データをランドの圧力データに換算する方法が挙げられる。
【００２９】
本発明のシート状物の製造方法において、プロセス時定数とは、上記製造工程のプロセス固有の厚み変動の時定数を言う。すなわち、ホッパー１３内の樹脂の温度やダイ１４の温度データ、シート状物１８の引き取り張力や引き取り速度等、シート状物１８の厚みに変動をきたす各要因に起因する、厚み変動の時定数を言う。なお、当然ながら、ホッパー１３内の樹脂の温度等の変動は、シート状物１８の厚みに変動をきたすまでに、ムダ時間が生じる系もあることを考慮する必要がある。
【００３０】
ここで、シート状物１８の長手方向の厚み変動が、ダイ１４の温度変動データや、ダイ１４のリップ部２６近傍の温度変動データや、ダイ１４が備えるヒーター２４の出力信号等の、シート状物１８の製造工程における温度変動に起因する場合には、プロセス時定数の違いから、厚み変動と温度変動との間に時間的位相差が生じ、かつ、シート状物の幅方向の厚み変動と温度変動との間にも位相差が生じることが知られている。このため、かかる特徴が見られる場合には、ダイ１４の温度変動データや、ダイ１４のリップ部２６近傍の温度変動データや、ダイ１４が備えるヒーター２４の出力信号等の、シート状物１８の製造工程における温度変動データと、シート状物１８の長手方向の厚み変動データとを、クロスコレログラムによって相関解析して、温度変動データと厚み変動データとの時間的位相差を求め、この時間的位相差と、上記温度変動データに関連する厚み変動のプロセス時定数との差を照合することによって、シート状物１８の長手方向の厚み変動原因がシート状物１８の製造工程における温度変動に起因するものであるか否かを容易に特定することができる。
【００３１】
シート状物１８の製造工程における温度変動の振幅が小さく、ダイ１４の温度変動データや、ダイ１４のリップ部２６近傍の温度変動データには現れない状態で、シート状物１８の長手方向の厚みに小さな振幅の変動が現れる場合においても、ダイ１４が備えるヒーター２４の出力信号には、変動波形が現れている場合がある。かかる場合には、シート状物１８の幅方向に対する複数の定位置から測定される、シート状物１８の長手方向の厚み変動データと、かかる定位置に対応する位置に設けられたダイ１４のヒーター２４の出力信号とをクロスコレログラムで相関解析することによって、シート状物１８の長手方向の厚み変動要因を特定することができる。また、出力信号の変動に周期性がある場合には、ダイ１４が備える温度調節手段等の自励振動が原因であることが多く、温度制御の最適調整を行う必要がある。
【００３２】
シート状物１８の長手方向の厚み変動データに周期性があり、かつ、シート状物１８の幅方向の複数の定位置から測定される、シート状物１８の長手方向の厚み変動同士が同期している場合には、シート状物１８の長手方向の厚み変動データと、樹脂をシート状物１８として吐出する工程までにおける樹脂の温度データや圧力データ等の、シート状物１８の製造工程におけるプロセスデータ、押出機１２から押し出される樹脂の押出量データ、ダイ１４からの樹脂の吐出量データ、ロール１６の駆動系データから選択されるデータのそれぞれとを、クロスコレログラムで相関解析することによって、シート状物１８の長手方向の厚み変動要因を特定することができる。
【００３３】
なお、各定位置から測定される、シート状物１８の長手方向の厚み変動データ同士にも、位相差や周期の違いが現れる場合がある。したがって、厚み変動の要因を特定する際の誤判定を防ぐために、クロスコレログラムによる相関解析は、シート状物１８における幅方向の位置が対応する、厚み変動データと温度変動データとを用いて行うことに留意する必要がある。
【００３４】
以上のように、本発明のシート状物１８の製造方法は、シート状物１８の厚み変動データと、種々のプロセスデータとをクロスコレログラムによって相関解析して時間的位相差を求め、かかる時間的位相差を用いて厚み変動の要因を特定する態様であるため、ＦＦＴ解析を行う態様に比して少ない厚み変動データ量によってシート状物１８の厚み変動の要因を特定することができる。したがって、本発明のシート状物１８の製造方法は、シート状物１８の厚み変動要因を早期に特定して、厚み変動に対して迅速に対応することができる。
【００３５】
本発明のシート状物１８の製造方法において、収集された厚み変動データをデータ蓄積装置に蓄積する工程は、データ蓄積装置が備える弁別手段によって、厚み変動データを、シート状物１８の幅方向の厚み変動データと、走行方向の厚み変動データとに弁別して蓄積して行うことが好ましい。かかる構成により、シート状物１８の長手方向の厚み変動を測定するために、シート状物１８の幅方向への厚み計２０の走査を停止させる必要がなくなるため、幅方向の厚み変動の測定や制御を行いながら、同時に長手方向の厚み変動を測定することが可能となる。したがって、シート状物１８の幅方向のみならず、長手方向における厚み変動の制御も可能となるため、幅方向、及び長手方向ともに厚み精度が高い、高品質なシート状物１８を製造することができる。
【００３６】
厚み変動データの弁別は、図４（ａ）に示すように、厚み計２０の走査方向の厚み変動をシート状物１８の幅方向の厚み変動データとして蓄積し、シート状物１８の幅方向における複数の定位置における時系列での厚み変動データをシート状物１８の長手方向の厚み変動データとして蓄積することによって行うことができる。
【００３７】
厚み変動データは、さらに、図４（ｂ）に示すように、厚み計２０の往路データ４０と復路データ４２とに弁別して蓄積されることが好ましい。かかる構成により、シート状物１８の走行方向のサンプリング間隔Ｌが一定となり、精度の高い厚み変動のデータ解析を行うことが可能となる。なお、かかる往路データ４０と復路データ４２は、ともにコンピュータ２２が備えるデータ蓄積装置に蓄積されているため、必要に応じて合成することができる。また、サンプリング間隔Ｌは、厚み計２０の走査速度とシート状物１８の走行速度から定まるため、シート状物１８の長手方向の厚み変動データは、時間に対する関数や、シート状物１８の幅方向における特定の位置に対する関数として取り扱うことができる。
【００３８】
本発明のシート状物１８の製造方法において、収集されたシート状物１８の厚み変動データをデータ蓄積装置に蓄積する工程は、厚み計２０が備えるセンサ４８からのアナログ出力信号を高速Ａ／Ｄ変換して行うことが好ましい。シート状物１８の幅方向に対する厚み変動データのサンプリング間隔Δｗは、例えば、ダイ１４のリップ部２６のスリット幅を制御する制御装置と厚み計２０とのデジタル通信速度が律速となって制約を受けるが、かかるＡ／Ｄ変換によって、サンプリング間隔Δｗを細かくすることができる。なお、厚み計２０のセンサ４８からのアナログ出力信号を高速Ａ／Ｄ変換する際には、ノイズフィルタや、厚み変動データのデジタルフィルタリング処理によって、アナログ出力信号からノイズを除去しておくことが好ましい。
【００３９】
本発明のシート状物１８の製造方法は、データ蓄積装置に代えて、又はデータ蓄積装置とともに、コンピュータ２２に備えられた変動データ変換装置によって、厚み変動データから、歪度や尖度等の無次元徴候パラメータの演算、確率密度分布の算出、確率頻度分布の算出のうち、少なくとも１以上の操作を行い、シート状物１８の厚み変動の特徴を抽出する工程を含んで構成されることが好ましい。かかる構成により、シート状物１８の長手方向の厚み変動データの変遷や、幅方向の厚み変動データの特異点の検出や判定を行うことができる。
【００４０】
ここで、確率密度分布とは、任意の観測区間でサンプリングした厚みや温度等の時系列データ（離散データ）に対して、そのデータの振幅を任意の間隔（等間隔）で分割した各区間の密度を表しており、データの不規則さを評価する指標を意味する。すなわち、厚みや温度等の変動データが完全に不規則であれば確率密度分布は正規分布となり、周期的な振動等がない正常な状態と見なすことができる。
【００４１】
また、確率頻度分布とは、任意の観測区間でサンプリングした厚みや温度等の時系列データ（離散データ）に対して、各離散データ間を内挿し、そのデータの振幅を任意の間隔（等間隔）で分割した各区間の出現頻度を表しており、確率密度分布と同様にデータの不規則さを評価する指標を意味する。この確率頻度分布は、離散データを内挿することにより、確率密度分布よりも滑らかな波形となり、ノイズ除去の効果がある。
【００４２】
コンピュータ２２が、変動データ変換装置を備える場合には、本発明のシート状物１８の製造方法は、抽出された特徴と、過去に蓄積した、シート状物１８の厚み変動と該変動の要因との相関データとを照合して、シート状物１８の厚み変動の要因を特定する工程を含んで構成されることが好ましい。かかる構成により、シート状物１８の幅方向のみならず、長手方向にも厚み精度の高いシート状物１８を効率よく製造することが可能となるだけでなく、厚み変動データ解析装置をも備える場合には、クロスコレログラムによって相関解析すべき対象（データ）を絞り込むことが可能となる。
【００４３】
例えば、ダイ１４の幅方向の温度調整手段に変動がない状態で、ダイ１４のリップ部２６のスリット幅を調整しても、シート状物１８の幅方向の厚み変動データに変化が生じず、その一方で、かかる厚み変動データから無次元徴候パラメータの演算を行うと、尖度が大きくなる等の特徴が現れた場合には、シート状物１８の幅方向における厚み異常の要因は、ダイ１４の流路の機械的歪みや疵、あるいは、ダイ１４に付着する異常物等が原因であると予想できる。
【００４４】
また、シート状物１８の長手方向の厚み変動が、短周期で現れ、かつ、かかる厚み変動データから無次元徴候パラメータの演算を行うと、長手方向の厚み変動データの歪度が負の値を示し、また、確率密度分布の波形が正規分布から大きく逸脱する等の特徴が現れた場合には、シート状物１８の長手方向における厚み変動の要因は、樹脂の圧力変動や押出量変動、シート状物１８の引き取り振動、引き取り張力変動等の、ロール１６の駆動系の変動、後述するシート状物の延伸工程時のシート状物振動等が原因であると予想できる。
【００４５】
また、解析する厚み変動データの時間軸を拡大すると、シート状物１８の長手方向の厚み変動が、長周期で現れ、かつ、シート状物１８の幅方向に対する複数の定位置から測定される、シート状物１８の長手方向の厚み変動同士が同期し、さらに、かかる厚み変動データから無次元徴候パラメータの演算を行うと、長手方向の厚み変動データの歪度が負の値を示し、また、確率密度分布が正規分布から逸脱する等の特徴が現れた場合には、シート状物１８の長手方向における厚み変動の要因は、シート状物１８の製造工程における温度変動が原因であると予想できる。このため、クロスコレログラムによる相関解析を行う対象を、ホッパー１３内の樹脂の温度データ、押出操作以降の樹脂の温度データに絞ることができる。
【００４６】
本発明のシート状物１８の製造方法における、変動データ変換装置によるシート状物１８の厚み変動要因の特定は、いずれの態様によって行ってもよく、抽出された特徴と、過去に蓄積した相関データとを、手作業によって照合して行ってもよいが、変動データ変換装置によって抽出された特徴と、予めコンピュータ２２に蓄積した相関データとを、コンピュータ２２が備える要因照合手段を用いて照合して行うことが好ましい。かかる構成により、シート状物１８の厚み変動要因の特定を、迅速に行うことが可能となる。
【００４７】
本発明のシート状物１８の製造方法において、シート状物１８の厚み分布を、目標とする厚み分布に近づける工程は、例えば、押出機１２からの樹脂の押出圧力を一定に制御し、各工程の温度を各設定に基づいて制御し、かつ、各駆動系を連動した状態で、ダイ１４のリップ部２６のスリット幅を調整したり、ダイのリップ部２６近傍に、幅方向に配置されたヒーター２４を介してダイの温度分布を調整したりして、幅方向の設定厚みプロファイルと、測定したシート状物の幅方向の厚み変動データとの偏差が収束するようにして行えばよい。
【００４８】
本発明のシート状物の製造方法によって得られた、幅方向及び長手方向ともに厚み精度の高いシート状物は、光学フィルム等に好適に用いることができる。
【００４９】
以上、本発明のシート状物１８の製造方法、及びかかる製造方法を好適に行い得る製造装置１０の実施態様を詳述したが、本発明は上述の態様に限定されるものではなく、その他の態様でも実施し得るものである。
【００５０】
図２に従えば、本発明のシート状物１８の製造方法は、ダイ１４から吐出されたシート状物１８を、延伸機２８で延伸する工程を含んで構成されてもよい。なお、かかる態様にあっては、厚み計２０を延伸工程の前後にそれぞれ設けることが好ましい。シート状物１８の厚み変動データを蓄積する工程は、いずれか一方の厚み計２０を用いて行ってもよいが、両方の厚み計２０を用いて行うことが好ましい。かかる構成によって、シート状物１８の厚み変動要因の特定がより容易となる。
【００５１】
なお、シート状物１８の厚み変動データを蓄積する工程を、延伸工程の前後にそれぞれ設けた厚み計２０を用いて行う場合には、厚み計２０より得られる厚み変動データから、無次元徴候パラメータの演算を行うことが好ましい。このように、データを無次元のパラメータ（統計量）で取り扱うことによって、例えば、平均厚みが異なる延伸前と延伸後の厚み変動データの特徴を比較することが可能となる。
【００５２】
本発明のシート状物１８の製造方法は、ダイ１４から吐出されたシート状物１８を冷却ロール３０で冷却する工程や、巻取り装置３２で巻き取る工程を含んで構成されてもよい。また、厚み変動制御後のシート状物の厚み分布を、前記厚み計２０とは別個に新たに設けた厚み計（図示しない。）等によって測定・評価する工程を含んで構成されてもよい。なお、ここで用いる厚み計は、前述の厚み計２０と同種のものであっても構わない。
【００５３】
本発明のシート状物１８の製造方法は、厚み計２０に設けられた走査速度調整手段３４によって厚み計２０の走査速度を調整して、厚み計２０の走査速度を上げたり下げたりする工程を含んで構成されてもよい。かかる構成により、シート状物１８の振動や引き取り張力変動等に起因する、シート状物１８の長手方向に対する短周期の厚み変動を検出することが容易となる。
【００５４】
本発明のシート状物１８の製造方法において、樹脂が溶液状態で用いられる場合には、かかる樹脂は押出機１２によってダイ１４に供給される態様である必要はない。したがって、図３に示すように、本発明のシート状物の製造装置１０は、ホッパー１３と押出機１２に代えて、樹脂溶液を蓄えるタンク４４と、かかる樹脂溶液をダイ１４に供給する樹脂供給ポンプ４６を備えて構成されても構わない。なお、かかる態様における、樹脂の温度データとは、タンク４４内の樹脂溶液の温度をも意味する。
【００５５】
本発明のシート状物１８の製造方法は、ホッパー１３や押出機１２、タンク４４や樹脂供給ポンプ４６、ダイ１４、ロール１６、延伸機２８等の、本発明のシート状物の製造装置１０を構成する構成要件に備えられて、樹脂温度や吐出量や引き取り速度等を調整して、シート状物１８の厚み分布を制御する調整手段や、厚み計２０等が、ネットワークを介してコンピュータ２２に接続され、かかるコンピュータ２２によって、シート状物１８の厚み変動の検出、解析、制御がなされることが好ましい。かかる構成によって、厚み精度の高いシート状物１８を効率よく製造することが可能となって、製造コストを低くすることができる。なお、本発明のシート状物の製造方法において、厚み計２０からのアナログ信号が、Ａ／Ｄ変換装置を介してコンピュータ２２に取り込まれる態様にあっては、厚み変動データの高速サンプリングが可能となるだけでなく、ネットワークの通信負荷を低減することもできる。
【００５６】
本発明のシート状物の製造方法は、コンピュータ２２に取り込んだ厚み変動データから、幅方向の厚み変動データや幅方向の定位置における走行方向の厚み変動データを選択し、コンピュータ２２が備えるモニタ３６にグラフを表示するとともに、幅方向の厚み変動データや一定区間（時間）の走行方向の厚み変動データの統計量（無次元徴候パラメータ等）をモニタ３６に表示する工程を含んで構成されてもよい。かかる構成により、コンピュータ２２のモニタ３６に表示した厚み変動データの波形、歪度や尖度等の統計データの変化、確率密度分布の波形等から、シート状物１８の幅方向や走行方向の厚み変動の異常を視覚的に検出・判定することが可能になる。
【００５７】
その他、本発明はその趣旨を逸脱しない範囲内で、当業者の知識に基づき種々なる改良、修正、変更を加えた態様で実施し得るものである。
【００５８】
以下に、実施例により本発明を具体的に説明するが、本発明はこれら実施例によって限定されるものではない。
（実施例１）
【００５９】
図２に示す製造装置を用いて、延伸前平均厚みが１６０μｍのポリカーボネート系樹脂から構成されるシート状物の製造を行った。かかる製造工程において、延伸前のシート状物の中央での走行方向の厚み変動（約２０分間分）を求めたところ、図５に示す厚み変動が検出された。かかる厚み変動データ（約２０分間分）について、無次元徴候パラメータを演算すると、歪度は−０．４の負値となって波形データの偏りを示した。また、そのときの確率密度分布（図６）と確率頻度分布（図７）を求めたところ、いずれも正規分布から逸脱した波形を示した。
【００６０】
この走行方向の厚み変動データと、シート状物の引取張力や押出機やダイ等の温度や圧力の時系列データとを、クロスコレログラムによって相関解析して、相関がないことを確認した。
【００６１】
確率頻度分布の波形の歪みや波形の変動間隔等の挙動と、過去の知見（シート状物の厚み変動と該変動の要因との相関データ）とから判断して、シート状物の長手方向の厚み変動の要因は、ダイのリップ部と冷却ロールとの距離が長く、シート状物の縦振れ現象が生じたことにあると特定した。
【００６２】
そこで、ダイリップと冷却ロールとの距離を１０ｍｍ縮めて、再度、延伸前のシート状物中央での走行方向の厚み変動（約２０分間分）を表示すると、図８に示すように変動の振幅が１／４に抑制され、確率密度分布（図９）と確率頻度分布（図１０）は偏りのない波形を示し、歪度は０．２の正常値に復帰した。
（実施例２）
【００６３】
図２に示す製造装置を用いて、延伸後平均厚みが５０μｍのポリカーボネート系樹脂から構成されるシート状物の製造を行った。かかる製造工程において、シート状物の中央位置、かかる中央位置から操作側へ７００ｍｍ移動させた位置、及びかかる中央位置から反操作側へ７００ｍｍ移動させた位置における、走行方向の厚み変動を表示したところ、厚み規格範囲内で１００分から１２０分の長周期の変動が生じていることが判った（延伸前；図１１、延伸後；図１２（ａ）〜（ｃ））。
【００６４】
延伸前と延伸後のシート状物の長手方向における厚み変動データ波形に大きな差異がなく、シート状物の幅方向の位置によって、シート状物の長手方向における厚み変動データに位相のズレがあることから、かかる厚み変動の要因は、ダイの温度変動に起因していると仮定して調査し、リップ部の近傍温度を精密に測定した結果、ダイの幅方向に対する複数の定位置において、約０．４℃の振幅で位相が各々異なる温度変動を生じていることを確認した。
【００６５】
リップの幅方向の中央部における温度の時系列データ（図１３）と、延伸前シート状物の幅方向の中央位置における、走行方向の厚み変動データ（図１１）とをクロスコレログラム（図１４）によって相関解析したところ、位相差が８分で相関（図１５）が最大となり、変動周期が５９分となる結果を得た。この位相差８分はリップ部の温度と延伸前シート状物の厚みのプロセス時定数の差に相当し、また、変動周期５９分は延伸前のシート状物の走行方向の厚み変動データの変動周期と一致した。このことから、シート状物の長手方向の厚み変動の要因は、ダイの温度変動であることを特定した。
【００６６】
また、シート状物の幅方向の定位置における、長手方向の厚み変動データの各々について、変動周期の位相にズレが生じる原因は、ダイの幅方向の各位置の温度変動の位相差を算出することによって、ダイの温度の位相がダイの幅方向でズレていることにあることを確認した。なお、本発明のシート状物の製造方法は、上記の解析過程において、厚み計の走査を停止することを要しないため、シート状物の幅方向の厚み制御を行いながらシート状物の走行方向の厚み変動データを同時に収集、解析ができるので、シート状物の長手方向の厚み変動の調査中でも、シート状物の厚みの規格範囲を逸脱することはなかった。
【００６７】
シート状物の長手方向の厚み変動の要因として特定したダイ温度に関して、ダイの幅方向の温度制御の最適調整、及び、ダイ周辺温度外乱抑制を実施し、ダイの温度変動幅を０．１℃以下に抑制して、ダイの周期的な温度変動を解消した。温度制御改善後に、シート状物の中央位置、中央から操作側へ７００ｍｍの位置、および、中央から反操作側へ７００ｍｍの位置における、延伸後のシート状物の長手方向の厚み変動を表示した（図１６（ａ）〜（ｃ））ところ、シート状物の長手方向の厚み変動データに周期的変動が生じることが抑制され、一層高精度なフィルムが製造できることが判った。
【図面の簡単な説明】
【００６８】
【図１】本発明のシート状物の製造装置の第１実施態様を示す。
【図２】本発明のシート状物の製造装置の第２実施態様を示す。
【図３】本発明のシート状物の製造装置の第３実施態様を示す。
【図４】本発明における厚み変動の測定方法、及び厚み変動データの蓄積方法を示す。
【図５】厚み変動制御前の、ポリカーボネート系樹脂のシート状物にかかる長手方向の厚み変動の時系列データを示す。
【図６】厚み変動制御前の、ポリカーボネート系樹脂のシート状物にかかる長手方向の厚み変動データの確率密度分布を示す。
【図７】厚み変動制御前の、ポリカーボネート系樹脂のシート状物にかかる長手方向の厚み変動データの確率頻度分布を示す。
【図８】厚み変動制御後の、ポリカーボネート系樹脂のシート状物にかかる長手方向の厚み変動の時系列データを示す。
【図９】厚み変動制御後の、ポリカーボネート系樹脂のシート状物にかかる長手方向の厚み変動データの確率密度分布を示す。
【図１０】厚み変動制御後の、ポリカーボネート系樹脂のシート状物にかかる長手方向の厚み変動データの確率頻度分布を示す。
【図１１】厚み変動制御前の、延伸前のポリカーボネート系樹脂のシート状物にかかる、中央位置における長手方向の厚み変動の時系列データを示す。
【図１２】厚み変動制御前の、延伸後のポリカーボネート系樹脂のシート状物にかかる、各定位置における長手方向の厚み変動の時系列データを示す。
【図１３】ダイのリップ部の幅方向の中央部における温度の時系列データを示す。
【図１４】ダイのリップの幅方向の中央部における温度の時系列データと、延伸前シート状物の中央位置の走行方向の厚み変動データとのクロスコレログラムを示す。
【図１５】図１４に示すクロスコレログラムで相関が最大となる時点の相関図を示す。
【図１６】厚み変動制御後の、延伸後のポリカーボネート系樹脂のシート状物にかかる、各定位置における長手方向の厚み変動の時系列データを示す。
【符号の説明】
【００６９】
１０：シート状物の製造装置
１２：押出機
１３：ホッパー
１４：ダイ
１６：ロール
１８：シート状物
２０：厚み計
２２：コンピュータ
２４：ヒーター
２６：リップ部
２８：延伸機
３０：冷却ロール
３２：巻取り装置
３４：走査速度調整手段
３６：モニタ
４０：往路データ
４２：復路データ
４４：タンク
４６：樹脂供給ポンプ
４８：センサ
【図１】
2006137073.tif 000002
【図２】
2006137073.tif 000003
【図３】
2006137073.tif 000004
【図４】
2006137073.tif 000005
【図５】
2006137073.tif 000006
【図６】
2006137073.tif 000007
【図７】
2006137073.tif 000008
【図８】
2006137073.tif 000009
【図９】
2006137073.tif 000010
【図１０】
2006137073.tif 000011
【図１１】
2006137073.tif 000012
【図１２】
2006137073.tif 000013
【図１３】
2006137073.tif 000014
【図１４】
2006137073.tif 000015
【図１５】
2006137073.tif 000016
【図１６】
2006137073.tif 000017